(57)【要約】【課題】複数人の者が同時に一斉放送をすることが可能であり、安価な無線ページング装置を提供する。【解決手段】複数の携帯端末１１、複数の基地局１２、及び構内交換機機能を備える電話サーバ１３を備え、多数の者が同時通話可能であり、任意の携帯端末１１から参加することが可能な少なくとも１つ以上のグループ通話回線を備える構内電話設備１０と、アンプ３２、スピーカ３１を備える放送設備３０と、を含み、前記の任意の携帯端末１１から参加することが可能な１のグループ通話回線と前記放送設備の放送回線３５とを接続する。【選択図】図１
2008098707.tif 000002
【特許請求の範囲】
【請求項１】
複数の携帯端末、複数の基地局、及び構内交換機機能を備える電話サーバを備え、多数の者が同時通話可能であり、任意の携帯端末から参加することが可能な少なくとも１つ以上のグループ通話回線を備える構内電話設備と、
アンプ、スピーカを備える放送設備と、を含み、
前記の任意の携帯端末から参加することが可能な１のグループ通話回線と前記放送設備の放送回線とを接続することを特徴とする無線ページング装置。
【請求項２】
さらに前記携帯端末に接続可能なヘッドセットを備えることを特徴とする請求項１に記載の無線ページング装置。
【発明の詳細な説明】
【技術分野】
【０００１】
本発明は、発電所構内など広い場所で好適に使用することができる無線ページング装置に関する。本発明でグループ通話とは、グループに参加した複数の者が同時に通話することが可能な通話方式を言う。
【背景技術】
【０００２】
従来、発電所構内など広い場所での従業員との連絡には、有線のページング装置が使用されている。この有線ページング装置は、例えば中央制御室から呼び出しの一斉放送を行うと、これが構内各所に設置されたスピーカを通じて流れ、呼び出された従業員が現場に設置されたハンドセットをオフフックすると、回線が通じ会話をすることができる（例えば特許文献１参照）。この有線ページング装置の場合、現場に設置されたハンドセットの数にも限りがあり、機動性に欠けることから無線のページング装置が多く使用されるようになっている。この無線ページング装置は、携帯端末を使用した構内電話設備と放送設備とを備え、携帯端末から所定の番号にダイヤルすると、携帯端末と放送設備とが接続され、スピーカから一斉呼び出しを行うことができる（例えば特許文献２参照）。さらにページング装置に関しては、従来の有線ページング装置及び無線ページング装置の各々の問題を解決すべく、有線ページング装置と無線ページング装置との間で相互に好適に通話可能なページング装置も提案されている（例えば特許文献１参照）。
【特許文献１】特開２００６−６７２９０号公報
【特許文献２】特開平８−３３５９０３号公報
【発明の開示】
【発明が解決しようとする課題】
【０００３】
無線ページング装置は、有線ページング装置と異なり、機動性、利便性に富むものの、一般的には一斉放送の回線は１回線しか設けられていないため、その回線を使用して一斉放送を行っている最中に、他の携帯端末からその回線にアクセスすることができない。つまり誰か一人の者が一斉放送の回線を使用している間は、他の者は一斉放送を行うことができず、一斉放送中に緊急に一斉放送すべき事態が生じても、先の一斉放送が終了するまで次ぎの一斉放送を行うことができないという問題がある。もちろん一斉放送の回線数を２回線、３回線とすれば、これら問題を解決することができるけれども、複数の回線を制御するための制御方法が複雑となり、また回数を複数とすることで多くの費用が必要となる。
【０００４】
本発明の目的は、複数人の者が同時に一斉放送をすることが可能であり、安価な無線ページング装置を提供することである。
【課題を解決するための手段】
【０００５】
本発明は、複数の携帯端末、複数の基地局、及び構内交換機機能を備える電話サーバを備え、多数の者が同時通話可能であり、任意の携帯端末から参加することが可能な少なくとも１つ以上のグループ通話回線を備える構内電話設備と、アンプ、スピーカを備える放送設備と、を含み、前記の任意の携帯端末から参加することが可能な１のグループ通話回線と前記放送設備の放送回線とを接続することを特徴とする無線ページング装置である。
【０００６】
また本発明の無線ページング装置は、前記構成に加え、さらに前記携帯端末に接続可能なヘッドセットを備えることを特徴とする。
【発明の効果】
【０００７】
本発明の無線ページング装置は、構内電話設備のグループ通話の１回線を放送設備の放送回線と接続することから、このグループ通話にアクセスしグループへ参加することで、携帯端末からの送話を一斉放送することができる。グループ通話は多数の者の同時通話を可能ならしめるものであるから、１の者が一斉放送を行っている最中であっても、他の者がグループ通話にアクセスしグループへ参加することで、他の者も同時に一斉放送を行うことができる。また、このグループ通話への参加は、任意の携帯端末から行うことができるため、緊急事態が発生しても直ちに一斉放送を行うことができる。さらに本発明の無線ページング装置は、複数人の者の送話を一斉放送する手段に、構内電話設備のグループ通話の１回線を放送設備の放送回線と接続する方法を用いるので安価に実施することができる。
【０００８】
また本発明の無線ページング装置は、構内電話設備のグループ通話の１回線を放送設備の放送回線と接続し、グループ通話機能を利用し一斉放送を行い、さらに携帯端末に接続可能なヘッドセットを備えるので、騒音エリアにいる者は、このグループ通話へアクセスし、グループに参加することで、ヘッドセットを利用してその一斉放送を聴くことができる。これにより騒音エリアにいても確実に放送内容を聴くことができる。
【発明を実施するための最良の形態】
【０００９】
図１は本発明の実施の一形態としての無線ページング装置１の概略的構成を示す図である。また図２は、本発明の構内電話設備１０のグループ通話の機能を説明するための図である。本実施形態では、発電所構内で無線ページングを使用する場合を例にとり説明する。無線ページング装置１は、複数の携帯端末を用いた構内電話設備１０と、携帯端末からの送話を一斉放送する放送設備３０とに大別される。構内電話設備１０は、複数の携帯端末、具体的にはＰＨＳ（Ｐｅｒｓｏｎａｌ  Ｈａｎｄｙ−ｐｈｏｎｅ  Ｓｙｓｔｅｍ）１１と、ＰＨＳ１１と無線通信する基地局１２と、基地局１２と接続しＰＨＳ１１の通信を制御する電話交換機の機能を備える電話サーバ１３を含み構成される。
【００１０】
ＰＨＳ１１（１１ａ、１１ｂ、１１ｃ）は、従来から一般的に使用されている携帯端末であり、発電所の運転員又は作業員が一人一台づつ所持し、他の運転員との連絡などに使用する。基地局１２（１２ａ、１２ｂ、１２ｃ）は、ＰＨＳの通信を確保すべく、発電所構内に多数設置されており、光ケーブル１４（１４ａ、１４ｂ、１４ｃ）により電話サーバ１３と接続する。ここでは、ＰＨＳ１１及び基地局１２の数が３つの例を示しているけれども、この数に限定されないことは言うまでもない。
【００１１】
電話サーバ１３は、ＰＨＳ１１の通信を制御する電話交換機の機能を備え、また複数の者がグループに参加することで、グループに参加した者同士で同時に通話することが可能なグループ通話を制御する。電話サーバ１３は、入出力部１５と処理部１６と記憶部１７と会議トランク（図示を省略）を備え、入出力部１５は外部インターフェイスを通じて基地局１２、公衆電話回線と接続すると共に、放送設備３０の放送回線３５と接続する。さらに図示を省略したキーボードなどの入力装置、ＣＲＴなどの表示装置と接続し、データの入力又はデータの表示を行う。処理部１６は、入力部１５を介して入力されるデータ及び記憶部１７に記載されたデータ、プログラムを用いて、ＰＨＳ１１の２者間の通話、及びグループ通信を制御するに必要な処理、公衆電話回線に接続するための処理を行う。なお、会議トランク（図示を省略）は、複数の携帯端末の間で同時に通話をするグループ通話に使用されるものである。記憶部１７は、ＰＨＳ１１の通信に必要なプログラムを記憶する共に、基地局１２のアドレスなどを記憶したデータベースを有する。
【００１２】
放送設備３０は、発電所構内の各所の設置された多数のスピーカ３１（３１ａ、３１ｂ）とアンプ３２とを備え、これらは放送回線３５を介して構内電話設備１０の電話サーバ１３と接続する。ＰＨＳ１１が所定のグループ通話を選択すると、電話サーバ１３を介してＰＨＳ１１からの送話を構内に一斉放送する。
【００１３】
上記無線ページング装置１を構成する構内電話設備１０及び放送設備３０の基本的な構成は、従来から使用されている設備とほぼ同じであり、構内電話番号を押下することで２者間の通話が可能なり、さらに外線通話も可能である。このように構内電話設備１０の基本的な機能は、従来からある構内電話設備の機能と同じである。本実施形態に示す無線ページング装置１は、構成電話設備１０が備えるグループ通話機能を一斉放送に使用する点に特徴がある。以下無線ページング装置１の特徴的な部分を中心に説明する。
【００１４】
構内電話設備１０は、図２に示すように複数のグループ（グループＡ、Ｂ、Ｃ）を有し、各グループ毎にグループ内で同時通話を行うことができる。グループ通話には、周知のように予め定めたメンバーのみが同時に通話することができる通話方式と、任意の者が自由に参加することができる通話方式とがある（例えば特開２００１−２８６３１号公報）が、本発明の無線ページング装置１では、任意の者が自由に参加することができるグループ通話を使用し一斉放送を行う。図２においてグループＡが放送回線３５と接続するグループであり、グループＢ、グループＣは、放送回線と接続しない。ここでは各グループには各々４つのポートが用意されている。グループＡは、既に１のポートに放送回線が接続されているので、３名の者が参加することが可能であり、グループＢ、グループＣは、とも４人の者が参加することが可能で、参加者が同時に通話することができる。
【００１５】
携帯端末を用いた構内一斉放送は次ぎの要領で行う。構内一斉放送を希望する者（ここではＰＨＳ１１ａを所有する者とする）は、ＰＨＳ１１ａから所定の番号を押下し、グループＡを呼び出す。電話サーバ１３は、グループＡの呼び出し信号を受信すると、ＰＨＳ１１ａをグループＡのポートＡ１に接続する。これによりＰＨＳ１１ａからの送話は、放送設備３０を介して一斉放送される。今、ポンプの試運転を行うため、ＰＨＳ１１ａから「ポンプを起動します」との一斉放送を行っている最中に、火災などの緊急事態が発生したとする。この場合、火災を発見した者（ここではＰＨＳ１１ｂを所有する者とする）は、これを連絡するためＰＨＳ１１ｂから所定の番号を押下し、グループＡを呼び出す。電話サーバ１３は、グループＡの呼び出し信号を受信すると、グループＡに空いているポートがあるか否か確認し、ポートが空いていればＰＨＳ１１ｂをポート（ここではポートＡ２）に接続する。これによりＰＨＳ１１ｂからの送話は放送設備３０を介して一斉放送される。一方、電話サーバ１３は、ＰＨＳ１１ｂからの信号を受信しても、グループＡに空きのポートがないと判断すると、話中の信号をＰＨＳ１１ｂに送信するように制御する。
【００１６】
これにより、ＰＨＳ１１ａからの送話を一斉放送している最中であっても、火災を発見した者は、「○○建屋２階で火災が発生しました」との送話をすることで、これを一斉放送することができる。このとき、グループＡには、任意の者が参加することが可能なグループ通話方式を採用するので、緊急事態が発生しても、誰でもグループＡにアクセスしこのグループに参加することで、先に一斉放送が行われていても、同時に一斉放送を行うことができる。グループＡに、予め定めたメンバーのみが同時に通話することができる通話方式を採用すると、緊急事態が発生しても一斉放送を行うことができない場合が生じるので好ましくない。
【００１７】
さらにグループＡに空きのポートがあれば、他の運転員はグループＡに参加することができる。このため、騒音の大きい場所にいる運転員（ここではＰＨＳ１１ｃを所有する者とする）であって、一斉放送の内容をうまく聞き取ることができない場合には、ＰＨＳ１１ｃから所定の番号を押下し、グループＡを呼び出し、グループＡに参加する。これによりＰＨＳ１１ｃはグループＡのポートＡ３に接続されるので、騒音の大きい場所にいる運転員は、ＰＨＳ１１ｃにヘッドセット２１を取り付け、このヘッドセット２１を介して、一斉放送を聴くことができる。なお、電話サーバ１３は、ＰＨＳ１１ｃからの信号を受信しても、グループＡに空きのポートがないと判断すると、話中の信号をＰＨＳ１１ｃに送信するように制御する。
【００１８】
図２中のグループＢ、グループＣは放送回線との接続はなく、従来から利用されているグループ内での同時通話のみ可能となる。図２中グループＢでは、全てのポートが塞がれ、既に同時通話が行われている。一方図２中グループＣでは、全てのポートが開いており、運転員はここにアクセスすることで他の運転員と同時通話を行うことができる。グループＢ、グループＣは、放送回線と接続しないので、グループ通話方式は、予め定めたメンバーのみが同時に通話することができる通話方式であっても、任意の者が自由に参加することができる通話方式であってもよい。
【００１９】
上記の通り、本実施形態に示す無線ページング１は、構内電話設備１０の有するグループ通話の回線の１つを放送回線３５と接続することで、放送設備３０を介して、多数の同時一斉放送を可能としたものである。これにより特別の設備を導入することなく、また簡単な制御で多数の同時一斉放送が可能となる。さらに放送設備３０と接続するグループ通話は、予め定めた者のみが参加することができるグループ通話方式ではなく、任意の者が参加することができるグループ通話方式を採用するので、緊急事態が発生しても、簡単に一斉放送を行うことができる。
【００２０】
本実施形態では、放送設備３０に接続するグループＡの同時通話可能なポート数が４つの場合を示したけれども、ポート数が４つに限定されるものではないことは当然である。複数の同時一斉放送を可能とならしめるべく、ポート数は少なくとも３ポート以上であればよい。さらにグループの数も特に限定されるものではない。また任意の者が参加することができるグループ通話を放送設備に接続可能な無線ページング装置であれば、本実施形態に限定されるものではない。
【図面の簡単な説明】
【００２１】
【図１】本発明の実施の一形態としての無線ページング装置１の概略的構成を示す図である。
【図２】本発明の構内電話設備１０のグループ通話の機能を説明するための図である。
【符号の説明】
【００２２】
１    無線ページング装置
１０  構内電話設備
１１  ＰＨＳ
１２  基地局
１３  電話サーバ
２１  ヘッドセット
３０  放送設備
３１  スピーカ
３２  アンプ
３５  放送回線
【図１】
2008098707.tif 000003
【図２】
2008098707.tif 000004